(57)【要約】【課題】サムネイル表示モードにおいて、所望の入力画像を容易に識別する。【解決手段】電子機器は、入力画像についてのサムネイル画像を表示する表示部と、ユーザによる加工指示操作に従って入力画像又は入力画像の元になる画像に加工処理（デジタルフォーカス等）を実行する画像処理部と、を備える。入力画像は、オリジナル画像又はオリジナル画像に加工処理を施して得られる加工画像である。注目入力画像のサムネイル画像を含む複数のサムネイル画像を同時表示する表示画面において、注目入力画像が加工画像であるとき、注目入力画像が加工画像であることをユーザに知らしめるアイコン４５０を表示する。例えば、注目入力画像がオリジナル画像に加工処理をＱ回施して得られた画像である場合、Ｑ個のアイコン４５０をサムネイル画像（５１１又は５１２）と共に表示する。【選択図】図１９
2012178820.tif 000002
【特許請求の範囲】
【請求項１】
入力画像についてのサムネイル画像を表示する表示部と、
加工処理の実行を指示する加工指示操作を受けるユーザインターフェースと、
前記加工指示操作に従って前記入力画像又は前記入力画像の元になる画像に前記加工処理を実行する画像処理部と、を備えた電子機器において、
前記表示部にて前記サムネイル画像が表示される際、前記入力画像が前記加工処理を経て得られた画像であるか否かが、前記表示部を用いて視覚的に示される
ことを特徴とする電子機器。
【請求項２】
前記表示部にて前記サムネイル画像が表示される場合において、前記入力画像が前記加工処理を経て得られた画像であるとき、前記入力画像が前記加工処理を経て得られた画像であることを示す映像情報も表示される
ことを特徴とする請求項１に記載の電子機器。
【請求項３】
前記入力画像が前記加工処理を経て得られた画像である場合、前記入力画像を得るために実行された前記加工処理の回数に応じて、前記映像情報は変化する
ことを特徴とする請求項２に記載の電子機器。
【請求項４】
前記表示部にて前記サムネイル画像が表示される場合において、前記入力画像が前記加工処理を経て得られた画像であるとき、表示される前記サムネイル画像は変形される
ことを特徴とする請求項１に記載の電子機器。
【請求項５】
前記入力画像が前記加工処理を経て得られた画像である場合、前記入力画像を得るために実行された前記加工処理の回数に応じて、表示される前記サムネイル画像の変形状態は変化する
ことを特徴とする請求項４に記載の電子機器。
【請求項６】
前記加工処理は、前記入力画像又は前記入力画像の元になる画像の合焦状態を変化させるための画像処理を含む
ことを特徴とする請求項１〜請求項５の何れかに記載の電子機器。
【請求項７】
前記加工処理は、前記入力画像又は前記入力画像の元になる画像に設定された補正対象領域を他の画像領域の画像データを用いて補正するための画像処理を含む
ことを特徴とする請求項１〜請求項５の何れかに記載の電子機器。
【請求項８】
前記加工処理は、前記入力画像又は前記入力画像の元になる画像に設定された補正対象領域を他の画像領域の画像データを用いて補正するための画像処理を含み、
前記入力画像が前記加工処理を経て得られた画像であるとき、前記サムネイル画像上で前記補正対象領域の位置を特定可能なように前記映像情報が表示される
ことを特徴とする請求項２又は請求項３に記載の電子機器。
【発明の詳細な説明】
【技術分野】
【０００１】
本発明は、撮像装置等の電子機器に関する。
【背景技術】
【０００２】
撮像装置にて画像の撮影を行った後に、画像処理にて撮影画像の合焦状態（被写界深度等）を変更する方法が様々に提案されており、そのような画像処理の一種はデジタルフォーカスとも呼ばれている。上記のような画像処理を含む、画像を加工するための画像処理を、ここでは加工処理と呼ぶ。また、加工処理を経ていない画像をオリジナル画像と呼び、オリジナル画像に対して加工処理を施して得られる画像を加工画像と呼ぶ。図２７に、オリジナル画像と複数の加工画像との関係を示す。
【０００３】
加工処理を繰り返してオリジナル画像に順次適用することもできる。即ち、図２７に示す如く、オリジナル画像９００に対して加工処理を１回施して加工画像９０１を得た後、加工画像９０１に更に加工処理を施すことで加工画像９０１と異なる加工画像９０２を生成する、といったことも成されうる。尚、図２７の例では、加工処理によってオリジナル画像９００の被写界深度が狭められたことが想定されおり、被写体の像のボケ具合いが被写体の輪郭線の太さによって表現されている。
【０００４】
一方、多数の入力画像を取り扱う電子機器では、サムネイル表示機能が備えられていることが多い。オリジナル画像及び加工画像の夫々は入力画像の一種であり、ここでは、電子機器が撮像装置であることを想定する。サムネイル表示機能を実現するサムネイル表示モードでは、一般的に、図２８に示す如く、表示画面に複数の入力画像についての複数のサムネイル画像（図２８の例では、６枚のサムネイル画像）が同時に並べて表示される。サムネイル画像は、通常、対応する入力画像の縮小画像である。
【０００５】
何れかの入力画像の閲覧又は編集等を望むユーザは、表示された複数のサムネイル画像の中から注目入力画像に対応するサムネイル画像を、ユーザインターフェースを介して選択する。この選択後、ユーザは、注目入力画像に対して所望の操作を成すことができる。
【０００６】
ここにおける所望の操作には、注目入力画像を加工するための上記加工処理が含まれ、電子機器としての撮像装置のユーザは、撮影されたオリジナル画像に対する加工処理（例えば、オリジナル画像の被写界深度を変更する画像処理）の実行を指示することができる。このような加工処理を利用するユーザは、オリジナル画像と加工画像の両方を記録媒体に保存しておくことが多い。その結果、撮像装置の記録媒体には、オリジナル画像としての入力画像と加工画像としての入力画像が混在して記録される。図２９に、このような混在が生じているときのサムネイル表示画面例を示す。図２９において、画像ＴＭ９００及びＴＭ９０１は、夫々、図２７のオリジナル画像９００及び加工画像９０１に対応するサムネイル画像である。
【０００７】
尚、下記特許文献１には、画像内の人物の笑顔レベルに応じたランキングをサムネイル画像と共に表示する方法が提案されている。
【先行技術文献】
【特許文献】
【０００８】
【特許文献１】特開２０１０−１８７１０９号公報
【発明の概要】
【発明が解決しようとする課題】
【０００９】
図２９の表示画面を見たユーザは、サムネイル画像ＴＭ９００及びＴＭ９０１を含む複数のサムネイル画像の中から所望の入力画像に対応するサムネイル画像を選択することができる。しかしながら、サムネイル画像の表示サイズが十分に大きくなく、またサムネイル画像ＴＭ９００及びＴＭ９０１が互いに類似していることが多いため、ユーザは、注目したサムネイル画像がオリジナル画像に対応するものであるのか或いは加工画像に対応するものであるのかを判別し難いことも多い。この判別が容易になれば、ユーザは、所望の入力画像（オリジナル画像及び加工画像の何れか）を容易に見つけ出すことが可能となる。尚、上記特許文献１の方法は上記判別の容易化に寄与しない。
【００１０】
そこで本発明は、ユーザによる所望の入力画像の認識容易化に寄与する電子機器を提供することを目的とする。
【課題を解決するための手段】
【００１１】
本発明に係る電子機器は、入力画像についてのサムネイル画像を表示する表示部と、加工処理の実行を指示する加工指示操作を受けるユーザインターフェースと、前記加工指示操作に従って前記入力画像又は前記入力画像の元になる画像に前記加工処理を実行する画像処理部と、を備えた電子機器において、前記表示部にて前記サムネイル画像が表示される際、前記入力画像が前記加工処理を経て得られた画像であるか否かが、前記表示部を用いて視覚的に示されることを特徴とする。
【００１２】
これにより例えば、ユーザは、注目したサムネイル画像がオリジナル画像に対応するものであるのか或いは加工画像に対応するものであるのかを容易に判別することが可能となる。結果、サムネイル画像が表示されている表示画面上において、ユーザは、所望の入力画像を容易に見つけ出すことが可能となる。
【００１３】
具体的には例えば、前記表示部にて前記サムネイル画像が表示される場合において、前記入力画像が前記加工処理を経て得られた画像であるとき、前記入力画像が前記加工処理を経て得られた画像であることを示す映像情報を表示すると良い。
【００１４】
更に例えば、前記入力画像が前記加工処理を経て得られた画像である場合、前記入力画像を得るために実行された前記加工処理の回数に応じて、前記映像情報を変化させても良い。
【００１５】
これにより、ユーザは、サムネイル画像の表示画面上で、前記入力画像を得るために実行された加工処理の回数を容易に認識することができる。
【００１６】
或いは例えば、前記表示部にて前記サムネイル画像が表示される場合において、前記入力画像が前記加工処理を経て得られた画像であるとき、表示される前記サムネイル画像を変形しても良い。
【００１７】
この際例えば、前記入力画像が前記加工処理を経て得られた画像である場合、前記入力画像を得るために実行された前記加工処理の回数に応じて、表示される前記サムネイル画像の変形状態を変化させても良い。
【００１８】
これにより、ユーザは、サムネイル画像の表示画面上で、前記入力画像を得るために実行された加工処理の回数を容易に認識することができる。
【００１９】
また具体的には例えば、前記加工処理は、前記入力画像又は前記入力画像の元になる画像の合焦状態を変化させるための画像処理を含んでいても良い。或いは例えば、前記加工処理は、前記入力画像又は前記入力画像の元になる画像に設定された補正対象領域を他の画像領域の画像データを用いて補正するための画像処理を含んでいても良い。この場合において、前記入力画像が前記加工処理を経て得られた画像であるとき、前記サムネイル画像上で前記補正対象領域の位置を特定可能なように前記映像情報を表示すると良い。
【発明の効果】
【００２０】
本発明によれば、ユーザによる所望の入力画像の認識容易化に寄与する電子機器を提供することが可能である。
【図面の簡単な説明】
【００２１】
【図１】本発明の第１実施形態に係る撮像装置の概略全体ブロック図である。
【図２】図１の撮像部の内部構成図である。
【図３】被写体距離の意義を説明するための図（ａ）と、注目画像を示す図（ｂ）と、被写界深度の意義を説明するための図（ｃ）である。
【図４】本発明の第１実施形態に係る画像ファイルの構造を示す図である。
【図５】図１の撮像装置に設けられる被写体距離検出部を示す図である。
【図６】複数の入力画像と、複数のサムネイル画像と、複数の画像ファイルとの関係を示す図である。
【図７】本発明の第１実施形態の特徴的動作に特に関与する部位のブロック図を示す。
【図８】加工画像が画像ファイルに格納される様子を示す図である。
【図９】図１の撮像装置による、加工画像の生成動作のフローチャートである。
【図１０】複数の入力画像と、複数のサムネイル画像と、複数の画像ファイルとの関係を示す図である。
【図１１】表示画面に複数の表示領域が設定される様子を示す図（ａ）と、表示画面に複数のサムネイル画像が同時表示される様子を示す図（ｂ）である。
【図１２】図１の撮像装置による、サムネイル表示モードにおける動作のフローチャートである。
【図１３】サムネイル表示モードにおいて、１つのサムネイル画像が指定された様子を示す図である。
【図１４】選択操作及び加工処理等のタイミング関係を示す図である。
【図１５】入力画像及び加工画像と、それらに対応するサムネイル画像と、を示す図である。
【図１６】サムネイル表示モードにおける、更新された表示画面の例を示す図である。
【図１７】オリジナル画像を元に２枚の加工画像が生成される様子を示す図である。
【図１８】複数の記号の意義を説明するための図である。
【図１９】表示方法例α１に係り、表示画面に表示されるサムネイル画像を示す図である。
【図２０】表示方法例α２に係り、表示画面に表示されるサムネイル画像を示す図である。
【図２１】表示方法例α３に係り、表示画面に表示されるサムネイル画像を示す図である。
【図２２】表示方法例α４に係り、表示画面に表示されるサムネイル画像を示す図である。
【図２３】表示方法例α５に係り、表示画面に表示されるサムネイル画像を示す図である。
【図２４】表示方法例β１に係り、表示画面に表示されるサムネイル画像を示す図である。
【図２５】表示方法例β１に係り、表示画面に表示されるサムネイル画像を示す図である。
【図２６】表示方法例β２に係り、表示画面に表示されるサムネイル画像を示す図である。
【図２７】従来技術に係り、オリジナル画像と加工画像との関係を示す図である。
【図２８】従来技術に係り、サムネイル表示モードの表示画面例を示す図である。
【図２９】従来技術に係り、サムネイル表示モードの表示画面例を示す図である。
【図３０】本発明の第２実施形態の特徴的動作に特に関与する部位のブロック図を示す。
【図３１】本発明の第２実施形態で想定される入力画像を示す図である。
【図３２】本発明の第２実施形態に係る入力画像及び加工画像を示す図である。
【図３３】本発明の第２実施形態に係る画像ファイルの構造を示す図である。
【図３４】本発明の第２実施形態に係り、入力画像と、それに対応するサムネイル画像及び画像ファイルを示す図である。
【図３５】本発明の第２実施形態に係る複数のサムネイル画像を示す図である。
【図３６】本発明の第２実施形態に係り、表示画面に表示されるサムネイル画像の例を示す図である。
【図３７】本発明の第２実施形態に係り、表示画面に表示されるサムネイル画像の他の例を示す図である。
【図３８】本発明の第２実施形態に係り、表示画面に表示されるサムネイル画像の更に他の例を示す図である。
【発明を実施するための形態】
【００２２】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、物理量、状態量又は部材等を参照する記号又は符号を付記することによって該記号又は符号に対応する情報、物理量、状態量又は部材等の名称を省略又は略記することがある。例えば、入力画像を記号Ｉ［ｉ］によって表す場合（図６参照）、入力画像Ｉ［ｉ］を画像Ｉ［ｉ］又は単にＩ［ｉ］と表記する場合がある。
【００２３】
＜＜第１実施形態＞＞
本発明の第１実施形態を説明する。図１は、本発明の第１実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。また、撮像装置１は、携帯電話機などの携帯端末に搭載されるものであっても良い。
【００２４】
撮像装置１は、撮像部１１と、ＡＦＥ（Analog Front End）１２と、主制御部１３と、内部メモリ１４と、表示部１５と、記録媒体１６と、操作部１７と、を備えている。尚、表示部１５は撮像装置１の外部機器（不図示）に設けられたものである、と解釈しても良い。
【００２５】
撮像部１１は、撮像素子を用いて被写体の撮影を行う。図２は、撮像部１１の内部構成図である。撮像部１１は、光学系３５と、絞り３２と、ＣＣＤ（Charge Coupled Device）又はＣＭＯＳ（Complementary Metal Oxide Semiconductor）イメージセンサなどから成る撮像素子（固体撮像素子）３３と、光学系３５や絞り３２を駆動制御するためのドライバ３４と、を有している。光学系３５は、撮像部１１の画角を調節するためのズームレンズ３０及び焦点を合わせるためのフォーカスレンズ３１を含む複数枚のレンズから形成される。ズームレンズ３０及びフォーカスレンズ３１は光軸方向に移動可能である。主制御部１３からの制御信号に基づき、光学系３５内におけるズームレンズ３０及びフォーカスレンズ３１の位置並びに絞り３２の開度（即ち絞り値）が制御される。
【００２６】
撮像素子３３は、水平及び垂直方向に複数の受光画素が配列されることによって形成される。撮像素子３３の各受光画素は、光学系３５及び絞り３２を介して入射した被写体の光学像を光電変換し、該光電変換によって得られた電気信号をＡＦＥ１２（Analog Front End）に出力する。
【００２７】
ＡＦＥ１２は、撮像部１１（撮像素子３３）から出力されるアナログ信号を増幅し、増幅されたアナログ信号をデジタル信号に変換してから主制御部１３に出力する。ＡＦＥ１２における信号増幅の増幅度は主制御部１３によって制御される。主制御部１３は、ＡＦＥ１２の出力信号によって表される画像に対して必要な画像処理を施し、画像処理後の画像についての映像信号を生成する。主制御部１３は、表示部１５の表示内容を制御する表示制御部２２を備え、表示に必要な制御を表示部１５に対して行う。
【００２８】
内部メモリ１４は、ＳＤＲＡＭ（Synchronous Dynamic Random Access Memory）等にて形成され、撮像装置１内で生成された各種データを一時的に記憶する。
【００２９】
表示部１５は、液晶ディスプレイパネル等の表示画面を有する表示装置であり、主制御部１３の制御の下、撮影された画像や記録媒体１６に記録されている画像などを表示する。本明細書において、単に表示及び表示画面と言った場合、それらは、表示部１５における表示及び表示画面を指すものとする。表示部１５にはタッチパネル１９が設けられており、ユーザは、表示部１５の表示画面を操作体（指やタッチペンなど）で触れることで撮像装置１に特定の指示を与えることができる。尚、タッチパネル１９を割愛することも可能である。
【００３０】
記録媒体１６は、カード状半導体メモリや磁気ディスク等の不揮発性メモリであり、主制御部１３による制御の下、撮影画像の映像信号等を記録する。操作部１７は、静止画像の撮影指示を受け付けるシャッタボタン２０及びズーム倍率の変更指示を受け付けるズームボタン２１等を備え、外部からの各種操作を受け付ける。操作部１７に対する操作内容は、主制御部１３に伝達される。操作部１７及びタッチパネル１９を、ユーザからの任意の指示及び操作を受けるユーザインターフェースと呼ぶことができる。シャッタボタン２０及びズームボタン２１は、タッチパネル１９上のボタンであってもよい。
【００３１】
撮像装置１の動作モードには、画像（静止画像又は動画像）の撮影及び記録が可能な撮影モードと、記録媒体１６に記録された画像（静止画像又は動画像）を表示部１５に再生表示する再生モードと、が含まれる。操作部１７に対する操作に応じて、各モード間の遷移は実施される。
【００３２】
撮影モードでは、所定のフレーム周期にて周期的に被写体の撮影が行われ、被写体の撮影画像が順次取得される。画像を表す映像信号を画像データとも呼ぶ。映像信号は、例えば、輝度信号及び色差信号を含む。或る画素に対する画像データを、画素信号と呼ぶこともある。或る画像の大きさ又は画像領域の大きさを、画像サイズとも呼ぶ。注目画像又は注目画像領域の画像サイズを、注目画像を形成する画素の数又は注目画像領域に属する画素の数にて表現することができる。尚、本明細書では、或る画像の画像データのことを単に画像と言うこともある。従って、例えば、入力画像の生成、記録、加工、変形、編集又は保存とは、入力画像の画像データの生成、記録、加工、変形、編集又は保存を意味する。
【００３３】
図３（ａ）に示す如く、任意の被写体と撮像装置１（より具体的には撮像素子３３）との間における実空間上の距離を、被写体距離と呼ぶ。図３（ｂ）に示す注目画像３００の撮影時において、撮像部１１の被写界深度内の被写体距離を有する被写体３０１は注目画像３００上で合焦しており、撮像部１１の被写界深度外の被写体距離を有する被写体３０２は注目画像３００上で合焦していない（図３（ｃ）参照）。図３（ｂ）では、被写体の像のボケ具合いを、被写体の輪郭線の太さによって表現している（後述の図６等においても同様）。
【００３４】
図４に、入力画像の画像データを格納する画像ファイルの構造を示す。撮像部１１の出力信号に基づく画像、即ち撮像装置１の撮影によって得た画像は、入力画像の一種である。入力画像を、対象画像又は記録画像と呼ぶこともできる。１又は複数の画像ファイルを記録媒体１６に保存可能である。画像ファイルには、入力画像の画像データを格納する本体領域と、入力画像に対応する付加データを格納するヘッダ領域が設けられている。付加データには、距離データ、合焦状態データ、加工回数データ、サムネイル画像の画像データを含む、入力画像に関する様々なデータが含まれている。
【００３５】
距離データは、主制御部１３等に備えられた被写体距離検出部４１（図５参照）によって生成される。被写体距離検出部４１は、入力画像の各画素における被写体の被写体距離を検出し、その検出結果（入力画像の各画素における被写体の被写体距離の検出値）を表す距離データを生成する。被写体距離の検出方法として、公知の方法を含む任意の方法を利用可能である。例えば、ステレオカメラ又は測距センサを用いて被写体距離を検出しても良いし、入力画像におけるエッジ情報を利用した推定処理によって被写体距離を求めてもよい。
【００３６】
合焦状態データは、入力画像における被写界深度を特定するデータであり、例えば、合焦状態データによって入力画像の被写界深度に属する距離の内の最短距離、最長距離及び中心距離が特定される。被写界深度の最短距離及び最長距離間の大きさは、一般に、被写界深度の深さとも呼ばれる。上記の最短距離、中心距離及び最長距離の数値が合焦状態データとして与えられていても良いし、入力画像の撮影時における撮像部１１の焦点距離及び絞り値など、上記の最短距離、中心距離及び最長距離を導出するためのデータが合焦状態データとして与えられていても良い。
【００３７】
加工回数データは、入力画像を得るために成された加工処理の実行回数を示す（加工処理の具体例については後述）。図６に示す如く、加工処理が１回も施されていない入力画像を特にオリジナル画像と呼び、オリジナル画像としての入力画像を記号Ｉ［０］で表す。また、入力画像Ｉ［０］に加工処理をｉ回施すことで得られた入力画像を記号Ｉ［ｉ］で表す（ｉは整数）。即ち、入力画像Ｉ［ｉ］に加工処理を１回施すことで入力画像Ｉ［ｉ］は入力画像Ｉ［ｉ＋１］に加工される。そうすると、入力画像Ｉ［ｉ］を得るために成された加工処理の実行回数はｉ回であり、従って、入力画像Ｉ［ｉ］の画像データを格納する画像ファイルにおける加工回数データは、変数ｉの値を指し示す。尚、変数ｉが自然数であるとき、入力画像Ｉ［ｉ］は後述の加工画像でもある（図７参照）。従って、変数ｉが自然数であるときの入力画像Ｉ［ｉ］は加工画像とも称される。
【００３８】
サムネイル画像は、入力画像の解像度を低減させることで得られる画像（換言すれば、入力画像の画像サイズを低減させることで得られる画像）である。従って、サムネイル画像の解像度及び画像サイズは入力画像の解像度及び画像サイズよりも小さい。解像度又は画像サイズの低減は、公知の解像度変換によって実現される。図６に示す如く、入力画像Ｉ［ｉ］に対応するサムネイル画像を記号ＴＭ［ｉ］にて示す。単純には例えば、サムネイル画像ＴＭ［ｉ］は、入力画像Ｉ［ｉ］における幾つかの画素を間引くことで生成可能である。また、入力画像Ｉ［ｉ］の画像データを格納した画像ファイルを記号ＦＬ［ｉ］にて表す（図６参照）。画像ファイルＦＬ［ｉ］には、サムネイル画像ＴＭ［ｉ］の画像データも格納されている。
【００３９】
図７に、本実施形態の特徴的動作に特に関与する部位のブロック図を示す。ユーザインターフェース５１（以下、ＵＩ５１と略記する）は、操作部１７及びタッチパネル１９を含んで形成される（図１参照）。距離マップ生成部５２及び画像処理部５３を、例えば、主制御部１３に設けておくことができる。
【００４０】
ＵＩ５１は、処理対象画像を選択するための選択操作及び処理対象画像に対する加工処理の実行を指示する加工指示操作を含む、ユーザからの各種の操作を受け付ける。記録媒体１６に記録されている各入力画像は処理対象画像の候補であり、ユーザは、記録媒体１６に記録されている複数の入力画像の何れかを、選択操作により処理対象画像として選択することができる。選択操作にて選択された入力画像の画像データは処理対象画像の画像データとして画像処理部５３に送られる。
【００４１】
距離マップ生成部５２は、処理対象画像としての入力画像の画像データを格納した画像ファイルのヘッダ領域から距離データを読み出し、読み出した距離データに基づき距離マップを生成する。距離マップは、自身を形成する各画素値が被写体距離の検出値を持つ距離画像である。距離マップによって、処理対象画像としての入力画像の各画素における被写体の被写体距離が特定される。尚、距離データそのものが距離マップであってもよく、その場合、距離マップ生成部５２は不要である。距離データも距離マップも被写体距離情報の一種である。
【００４２】
加工指示操作は、加工処理の内容をも指示する操作であり、加工指示操作にて指示された加工処理の内容を表す加工内容情報が画像処理部５３に送られる。画像処理部５３は、処理対象画像としての入力画像に加工内容情報に従った加工処理を実行することにより加工画像を生成する。即ち、加工画像は加工処理後の処理対象画像である。
【００４３】
ここでは、主として、加工内容情報が合焦状態設定情報であることを想定する。合焦状態設定情報は、加工画像の合焦状態を指定する情報である。画像処理部５３は、距離マップに基づく加工処理によって処理対象画像の合焦状態を調整することができ、合焦状態の調整後の処理対象画像を加工画像として出力することができる。処理対象画像の合焦状態を調整するための加工処理は距離マップに基づく画像処理Ｊであり、画像処理Ｊにおける合焦状態の調整は被写界深度の調整を含む。尚、合焦状態又は被写界深度の調整によって、合焦状態又は被写界深度が変化するため、画像処理Ｊは、処理対象画像の合焦状態を変化させるための画像処理とも言える。
【００４４】
例えば、ユーザは、加工指示操作において、加工画像の被写界深度における中心距離ＣＮＤＥＰの目標値ＣＮＤＥＰ＊及び加工画像の被写界深度の深さＭＤＥＰの目標値ＭＤＥＰ＊を指定することができる。この場合、目標値ＣＮＤＥＰ＊及びＭＤＥＰ＊が合焦状態設定情報に含められ、画像処理部５３は、合焦状態設定情報に従い、加工画像の被写界深度における中心距離ＣＮＤＥＰ及び深さＭＤＥＰが夫々ＣＮＤＥＰ＊及びＭＤＥＰ＊に応じたものとなるように（理想的には、加工画像における中心距離ＣＮＤＥＰ及び深さＭＤＥＰが夫々ＣＮＤＥＰ＊及びＭＤＥＰ＊と一致するように）、距離マップに基づき処理対象画像に対して画像処理Ｊを成す。
【００４５】
画像処理Ｊは、処理対象画像の合焦状態を任意に調整することが可能な画像処理であっても良い。画像処理Ｊの一種はデジタルフォーカスとも呼ばれており、デジタルフォーカスを実現する画像処理の方法として、様々な画像処理方法が提案されている。距離マップに基づき処理対象画像の合焦状態を任意に調整することができる公知の方法（例えば、特開２０１０−８１００２号公報、国際公開第０６／０３９４８６号パンフレット、特開２００９−２２４９８２号公報、特開２０１０−２５２２９３号公報又は特開２０１０−８１０５０号公報に記載の方法）を、画像処理Ｊの方法として利用することができる。
【００４６】
加工画像又は記録媒体１６から読み出されたサムネイル画像は、表示部１５にて表示されうる。また、或る入力画像に加工処理を施して得られる加工画像を、他の入力画像の画像データとして新たに記録媒体１６に記録することができる。
【００４７】
図８に、この記録の概念図を示す。図８に示されるサムネイル生成部５４を、例えば図１の表示制御部２２に設けておくことができる。今、画像ファイルＦＬ［ｉ］に格納された入力画像Ｉ［ｉ］が処理対象画像として画像処理部５３に入力されたことを考える（図６も参照）。この場合、画像処理部５３は、入力画像Ｉ［ｉ］に加工処理を１回施して得た加工画像を入力画像Ｉ［ｉ＋１］として生成する。生成された入力画像Ｉ［ｉ＋１］の画像データは画像ファイルＦＬ［ｉ＋１］に格納された上で記録媒体１６に記録される。また、サムネイル生成部５４は、加工画像としての入力画像Ｉ［ｉ＋１］からサムネイル画像ＴＭ［ｉ＋１］を生成する。生成されたサムネイル画像ＴＭ［ｉ＋１］の画像データも画像ファイルＦＬ［ｉ＋１］に格納された上で記録媒体１６に記録される。入力画像Ｉ［ｉ＋１］及びサムネイル画像ＴＭ［ｉ＋１］の画像データを格納した画像ファイルＦＬ［ｉ＋１］を記録媒体１６に記録する際、入力画像Ｉ［ｉ＋１］に対応する距離データ、合焦状態データ及び加工回数データも画像ファイルＦＬ［ｉ＋１］に格納される。入力画像Ｉ［ｉ＋１］に対応する距離データは、画像ファイルＦＬ［ｉ］に格納された距離データと同じである。入力画像Ｉ［ｉ＋１］に対応する合焦状態データは、合焦状態設定情報に従って決定される。入力画像Ｉ［ｉ＋１］に対応する加工回数データは、画像ファイルＦＬ［ｉ］に格納された加工回数データよりも１だけ大きい。尚、サムネイル生成部５４は、加工画像ではない入力画像Ｉ［０］からサムネイル画像ＴＭ［０］を生成することもでき、また、表示部１５にて表示されるべきサムネイル画像も生成することができる。
【００４８】
図９に、加工画像の生成動作のフローチャートを示す。まず、ステップＳ１１において選択操作に従い処理対象画像が選択され、続くステップＳ１２にて処理対象画像の画像データが記録媒体１６から画像処理部５３に送られると共に処理対象画像が表示部１５にて表示される。更にステップＳ１３において、処理対象画像に対応する合焦状態データが記録媒体１６から読み出され、ステップＳ１４において、主制御部１３は処理対象画像に対応する合焦状態データから処理対象画像の被写界深度の中心距離及び深さを求める。求められた中心距離（例えば３メートル）及び深さ（例えば５メートル）の値は、表示部１５に表示される。この後、ステップＳ１５において、ＵＩ５１に対する加工指示操作の入力を待機する。
【００４９】
加工指示操作が成されると、ステップＳ１６において、画像処理部５３は、加工指示操作に基づく加工内容情報に従い、加工処理を処理対象画像に施すことで加工画像を生成する。加工内容情報が合焦状態設定情報である場合には、処理対象画像の距離マップを用いた画像処理Ｊを処理対象画像に施すことで加工画像を生成する。処理対象画像の選択後の任意のタイミングにおいて（例えばステップＳ１１の処理直後において）、処理対象画像の距離マップを生成することができる。続くステップＳ１７では、ステップＳ１６にて生成された加工画像が表示部１５にて表示され、この表示を成しつつ、ステップＳ１８においてユーザによる確定操作の入力を待機する。ステップＳ１６にて生成された加工画像にユーザが満足している場合、ユーザはＵＩ５１に対して確定操作を成すことができ、そうでない場合、ユーザは加工指示操作をＵＩ５１に対して再度成すことができる。ステップＳ１８において、再度の加工指示操作が成されると、ステップＳ１６に戻ってステップＳ１６以降の処理が繰り返し実行される。即ち、再度の加工指示操作に基づく加工内容情報に従い、加工処理を処理対象画像に施すことで加工画像を新たに生成し、新たに生成された加工画像を表示する（ステップＳ１６及びＳ１７）。
【００５０】
ステップＳ１８において確定操作が成されるとステップＳ１６にて生成された最新の加工画像がステップＳ１９において記録媒体１６に記録される。この際、記録媒体１６に記録される加工画像に基づくサムネイル画像も記録媒体１６に記録される。ステップＳ１１にて選択された処理対象画像が入力画像Ｉ［ｉ］である場合、ステップＳ１２からステップＳ１９までの一連の処理を実行して記録媒体１６に記録される加工画像は、入力画像Ｉ［ｉ＋１］である。また、ステップＳ１９において、入力画像Ｉ［ｉ＋１］の画像データを記録媒体１６に記録する際、ユーザの指示に応じて、入力画像Ｉ［ｉ］の画像データを記録媒体１６から削除するようにしても良い。即ち、加工処理前の画像に対して加工処理後の画像を上書き記録するようにしても良い。
【００５１】
再生モードの一種としてサムネイル表示モードが存在し、撮像装置１は、サムネイル表示モードにおいて特異な表示を行うことができる。第１実施形態では、以下、特に記述なき限り、サムネイル表示モードにおける撮像装置１の動作を説明する。また、図１０に示される入力画像４０１〜４０６を含む複数の入力画像の画像データが記録媒体１６に記録されているものとする。入力画像４０１〜４０６に対応するサムネイル画像をそれぞれ記号ＴＭ４０１〜ＴＭ４０６によって表し、入力画像４０１〜４０６の画像データを格納した画像ファイルをそれぞれ記号ＦＬ４０１〜ＦＬ４０６にて表す。画像ファイルＦＬ４０１〜ＦＬ４０６には、それぞれサムネイル画像ＴＭ４０１〜ＴＭ４０６の画像データも格納されている。
【００５２】
サムネイル表示モードでは、複数のサムネイル画像が同時に表示部１５に表示される。例えば、複数のサムネイル画像が表示画面の水平及び垂直方向に沿って並べて表示される。本実施形態では、図１１（ａ）及び（ｂ）に示す表示画面状態を基準にして考え、その表示画面状態を基準表示状態と呼ぶ。基準表示状態では、表示画面に互いに異なる６つの表示領域ＤＲ［１］〜ＤＲ［６］が設けられ、サムネイル画像ＴＭ４０１〜ＴＭ４０６を夫々表示領域ＤＲ［１］〜ＤＲ［６］に表示することでサムネイル画像ＴＭ４０１〜ＴＭ４０６の同時表示を実現する。但し、サムネイル表示モードにおいて、同時に表示されるサムネイル画像の枚数は６以外でも良い。また、サムネイル表示モードにおいて、１枚のサムネイル画像のみを表示することも可能である。
【００５３】
図１２に、サムネイル表示モードにおける動作のフローチャートを示す。サムネイル表示モードでは、ステップＳ２１及びＳ２２にて１枚以上のサムネイル画像を記録媒体１６から読み出して表示部１５に表示した後、ステップＳ２３〜Ｓ２６の処理を繰り返すことができる。ステップＳ２３ではユーザによる選択操作及び加工指示操作を受け付ける。ユーザは、表示画面上の何れかのサムネイル画像を指定することで、指定サムネイル画像に対応する入力画像を処理対象画像として選択することができる。例えば、図１１（ｂ）の基準表示状態において、ユーザがＵＩ５１を介して表示画面上のサムネイル画像ＴＭ４０２を指定することで、サムネイル画像ＴＭ４０２に対応する入力画像４０２を処理対象画像として選択することができる。図１３は、サムネイル画像ＴＭ４０２が指定されたときの表示画面例を示している。ステップＳ２４では選択操作にて選択された処理対象画像に対し加工指示操作に従った加工処理を実行することで加工画像を生成する。ステップＳ２５では、加工画像及び加工画像に基づくサムネイル画像を記録媒体１６に記録する。ステップＳ２３〜Ｓ２５における処理は、図９のステップＳ１１〜Ｓ１９における処理に相当する。
【００５４】
ステップＳ２３〜Ｓ２５の処理後、サムネイル表示モードが維持されている場合にはステップＳ２６にてサムネイル画像の表示を更新することができ、この更新後に、ステップＳ２３に戻ることができる。ステップＳ２６では、例えば、ステップＳ２４にて生成された加工画像に基づくサムネイル画像が表示部１５に表示されるように、表示部１５の表示内容を変更する。
【００５５】
ステップＳ２６における、より具体的な表示更新方法を例示する。図１４に示す如く、時刻ｔ１における表示状態が基本表示状態（図１１（ｂ）参照）であって、且つ、時刻ｔ２においてサムネイル画像ＴＭ４０２が選択操作にて指定されることで入力画像４０２が処理対象画像として選択され、且つ、時刻ｔ３において入力画像４０２に対し１回分の加工処理が実行されることで図１５の画像４０２Ａが入力画像４０２の加工画像として得られた状況（以下、状況ＳＴ１と呼ぶ）を考える。時刻ｔｉ＋１は時刻ｔｉよりも後の時刻である。また、画像４０２Ａをサムネイル生成部５４に供給することで生成されるサムネイル画像を記号ＴＭ４０２Ａによって表す（図１５参照）。図１５の例では、入力画像４０２に対し、被写界深度を浅くする画像処理Ｊが加工処理として成されたことが想定されている。
【００５６】
状況ＳＴ１の下、図１６（ａ）に示す如く、時刻ｔ４においてサムネイル画像ＴＭ４０１、ＴＭ４０２、ＴＭ４０２Ａ、ＴＭ４０３、ＴＭ４０４及びＴＭ４０５を同時に表示画面に表示すると良い。この際、サムネイル画像ＴＭ４０２及びＴＭ４０２Ａが表示画面上で隣接して表示されるようにサムネイル画像ＴＭ４０２及びＴＭ４０２Ａの表示位置を決定すると良い。或いは、状況ＳＴ１の下、図１６（ｂ）に示す如く、時刻ｔ４においてサムネイル画像ＴＭ４０１、ＴＭ４０２Ａ、ＴＭ４０３、ＴＭ４０４、ＴＭ４０５及びＴＭ４０６を同時に表示画面に表示しても良い。図１６（ａ）に示す表示は、時刻ｔ３の加工処理後においても入力画像４０２を格納した画像ファイルＦＬ４０２が記録媒体１６に保持されているケースに利用可能であり、図１６（ｂ）に示す表示は、主として、時刻ｔ３の加工処理後に画像ファイルＦＬ４０２が記録媒体１６から削除されたケースに利用可能である。
【００５７】
画像処理Ｊのような加工処理を利用するユーザは、オリジナル画像と加工画像の両方を記録媒体１６に保存しておくことが多いため、加工画像４０２Ａの生成後は、図１６（ａ）に示すような表示が成される。図１６（ａ）の表示画面を見たユーザは、サムネイル画像ＴＭ４０２及びＴＭ４０２Ａを含む複数のサムネイル画像の中から所望の入力画像に対応するサムネイル画像を選択することができるが、サムネイル画像の表示サイズが十分に大きくないこともあって、ユーザは、注目したサムネイル画像がオリジナル画像に対応するものであるのか或いは加工画像に対応するものであるのかを判別し難いことも多い。この判別を容易にすることができれば、ユーザにとって有益である。
【００５８】
また、加工処理の種類にもよるが、加工処理が実行されるとオリジナル画像の情報の一部が加工画像において失われ、加工処理によって画質劣化を伴うこともある。例えば、背景をぼかす画像処理ＪＡを画像処理Ｊとして採用した上でオリジナル画像Ｉ［０］に対し複数回分の画像処理ＪＡを順次適用し、これによって加工画像Ｉ［１］、Ｉ［２］・・・を得た場合、画像処理ＪＡを適用するたびに加工画像上においてオリジナル画像Ｉ［０］の情報が失われてゆく。
【００５９】
仮に、ユーザが、背景のぼかし度合いの異なる２枚の加工画像を得ることを望んでいる場合、図１７（ａ）に示す如く、オリジナル画像Ｉ［０］を基準として背景のぼかし度合いの異なる画像処理ＪＡを２回個別に適用して２枚の加工画像を得ることができる。一方で、図１７（ｂ）に示す如く、オリジナル画像Ｉ［０］に対して画像処理ＪＡを１回適用した後、得られた加工画像Ｉ［１］に対して画像処理ＪＡを再度適用して加工画像Ｉ［２］を生成する方法もある。加工画像Ｉ［２］では、オリジナル画像Ｉ［０］に対して２回の画像処理ＪＡを重畳して適用した分、オリジナル画像の情報の損失量又は画質劣化が増大する。
【００６０】
他方、図１３を参照して説明したように、ユーザは、表示画面上の何れかのサムネイル画像を指定することで所望の入力画像を処理対象画像として選択することができるが、注目したサムネイル画像がオリジナル画像に対応するものであるのか或いは加工画像に対応するものであるのかの判別が、仮に難しかったならば、図１７（ａ）に示すような方法で２枚の加工画像を得ることを望んでいる場合でも、加工画像Ｉ［１］を誤って処理対象画像に選択してしまい、意図せず、図１７（ｂ）に示すような方法で２枚の加工画像が得られることもある。逆に、図１７（ｂ）に示すような方法で２枚の加工画像を得ることを望んでいるのにも関わらず、選択ミスにより、図１７（ａ）に示すような方法で２枚の加工画像が得られることもある。このような事態の発生は避けられた方が望ましい。
【００６１】
撮像装置１では、このような事態の発生の抑制にも寄与する特殊表示機能を有する。この特殊表示機能を用いると、表示部１５にてサムネイル画像ＴＭ４０１が表示される際、サムネイル画像ＴＭ４０１に対応する入力画像４０１が加工処理を経て得られた画像であるか否かが、表示部１５を用いて視覚的に示される。サムネイル画像ＴＭ４０２〜ＴＭ４０６についても同様である。
【００６２】
これにより、ユーザは、表示された各サムネイル画像がオリジナル画像に対応するサムネイル画像であるのか否かを視覚的に容易に判別することが可能となり、結果、所望の入力画像の選択操作が容易となると共に、上述したような望ましくない事態の発生を回避することも可能となる。
【００６３】
また、加工処理による情報損失又は画質劣化は加工処理の実行ごとに蓄積してゆくため、注目したサムネイル画像に対応する入力画像が加工処理を何回経て得られた画像であるのかを、サムネイル表示にてユーザに認識させることは有益である。この認識が得られれば、ユーザは、各サムネイル画像に対応する入力画像の情報損失又は画質劣化の程度を把握することができ、例えば、各入力画像の画質劣化の程度を考慮した上で適切な入力画像を処理対象画像に選択することができるからである。特殊表示機能は、このような有益性も提供する。即ち、特殊表示機能により、ユーザは、各サムネイル画像に対応する入力画像が加工処理を何回経て得られた画像であるのかを認識することができる。
【００６４】
上記特殊表示機能はサムネイル画像ＴＭ４０１〜ＴＭ４０６の夫々に対して適用され、サムネイル画像ＴＭ４０２〜ＴＭ４０６に対する特殊表示機能の適用方法は、サムネイル画像ＴＭ４０１に対する特殊表示機能の適用方法と同じである。従って、以下では、特殊表示機能をサムネイル画像ＴＭ４０１の表示に適用したときの表示内容を説明し、特殊表示機能をサムネイル画像ＴＭ４０２〜ＴＭ４０６の表示に適用したときの表示内容の説明を割愛する。
【００６５】
上記特殊表示機能を実現する方法は、表示方法αと表示方法βに大別される。尚、表示方法α及びβに関与する幾つかの記号の定義を、図１８にまとめて示す。
【００６６】
表示方法αを説明する。表示方法αでは、サムネイル画像ＴＭ４０１を表示する場合において入力画像４０１が加工処理を経て得られた画像であるとき、入力画像４０１が加工処理を経て得られた画像であることを示す映像情報ＶＡも表示する（例えば、後述の図１９（ｂ）におけるアイコン４５０を参照）。映像情報ＶＡは、入力画像４０１が加工処理を経て得られた画像であるか否かを示す映像情報である、と解釈することもできる。更に、入力画像４０１が加工処理を１回以上経て得られた画像である場合（即ち、入力画像４０１がｉ≧１であるときの入力画像Ｉ［ｉ］である場合）、入力画像４０１を得るために実行された加工処理の回数Ｑに応じて映像情報ＶＡを変化させる（例えば後述の図１９（ａ）〜（ｃ）参照）。
【００６７】
回数Ｑは、入力画像４０１を得るために、入力画像４０１の元となる画像に対して実行された加工処理の回数である。入力画像４０１がｉ≧１であるときの入力画像Ｉ［ｉ］である場合、入力画像４０１の元となる画像とはオリジナル画像Ｉ［０］である。入力画像４０１が入力画像Ｉ［ｉ］である場合、Ｑ＝ｉである。従って、入力画像４０１がオリジナル画像Ｉ［０］である場合には、Ｑ＝０である。
【００６８】
図１の表示制御部２２は、入力画像４０１に対応する画像ファイルＦＬ４０１のヘッダ領域から加工回数データを読み出すことで回数Ｑを知ることができ、回数Ｑに応じた映像情報Ｖαを生成して表示部１５に表示させることができる。
【００６９】
表示方法βを説明する。表示方法βでは、サムネイル画像ＴＭ４０１を表示する場合において入力画像４０１が加工処理を経て得られた画像であるとき、表示されるサムネイル画像ＴＭ４０１を変形する（例えば後述の図２４（ａ）〜（ｃ）参照）。この変形は、言うまでもなく、入力画像４０１がオリジナル画像であるときに表示されるサムネイル画像ＴＭ４０１を基準とした変形である。表示方法βは、入力画像４０１が加工処理を経て得られた画像であるか否かに応じて、表示されるサムネイル画像ＴＭ４０１を変形させる方法であるとも言える。更に、入力画像４０１が加工処理を１回以上経て得られた画像である場合（即ち、入力画像４０１がｉ≧１であるときの入力画像Ｉ［ｉ］である場合）、入力画像４０１を得るために実行された加工処理の回数Ｑに応じ、表示されるサムネイル画像ＴＭ４０１の変形状態を変化させる（例えば後述の図２４（ａ）〜（ｃ）参照）。換言すれば、表示されるサムネイル画像ＴＭ４０１の変形状態は、Ｑ＝Ｑ１である場合とＱ＝Ｑ２である場合とで、互いに異なる（Ｑ１及びＱ２は自然数であって、Ｑ１≠Ｑ２）。
【００７０】
図１の表示制御部２２は、回数Ｑに応じてサムネイル画像ＴＭ４０１を変形させることができ、変形後のサムネイル画像ＴＭ４０１を表示部１５にて表示させることができる。サムネイル画像ＴＭ４０１の変形を実現するための画像処理は、図８のサムネイル生成部５４にて行われても良い。
【００７１】
以下、表示方法αに属する表示方法例α１〜α５と表示方法βに属する表示方法例β１及びβ２を個別に説明する。但し、表示方法例α１〜α５、β１及びβ２は例示に過ぎない。入力画像４０１がオリジナル画像であるのか否かをユーザが認識できる限り、又は、入力画像４０１についての処理回数Ｑをユーザが認識できる限り、表示方法αにおける映像情報ＶＡはどのような映像情報でも良く、同様に、表示方法βにおけるサムネイル画像ＴＭ４０１の変形はどのような変形でも良い。以下、便宜上、入力画像４０１がオリジナル画像であるのか否かをユーザが認識することを処理有無認識と呼び、入力画像４０１についての処理回数Ｑをユーザが認識することを処理回数認識と呼ぶ。
【００７２】
［表示方法例α１］
図１９（ａ）〜（ｃ）を参照して、表示方法例α１を説明する。画像５１０、５１１、５１２は、夫々、Ｑ＝０、Ｑ＝１、Ｑ＝２であるときにおいて、表示領域ＤＲ［１］に表示される画像の例である（図１１（ａ）及び（ｂ）も参照）。画像５１０は、サムネイル画像ＴＭ４０１そのものであり、画像５１１は、サムネイル画像ＴＭ４０１にアイコン４５０を１つだけ付与した画像であり、画像５１２は、サムネイル画像ＴＭ４０１にアイコン４５０を２つだけ付与した画像である。Ｑ≧３であるときも同様であり、サムネイル画像ＴＭ４０１にＱ個のアイコン４５０を重畳表示することができる。
【００７３】
つまり、Ｑ＝０であるときには表示領域ＤＲ［１］にアイコン４５０が表示されないが、Ｑ≧１であるときにはＱの値に応じた個数のアイコン４５０がサムネイル画像ＴＭ４０１と共に表示領域ＤＲ［１］に表示される。ユーザは、アイコン４５０の表示有無及び表示個数を見ることで、処理有無認識及び処理回数認識を成すことができる。
【００７４】
表示方法例α１における１又は複数のアイコン４５０は、映像情報ＶＡの一種である（図１８参照）。サムネイル画像ＴＭ４０１上に表示されるＱ個のアイコン４５０を１つの映像情報と捉えた場合、その映像情報は、回数Ｑに応じて変化していると言える。
【００７５】
尚、サムネイル画像ＴＭ４０１上に複数のアイコン４５０を表示する場合、その複数のアイコン４５０を互いに異なるアイコンにしてもよい（例えば、サムネイル画像ＴＭ４０１上に青のアイコン４５０と赤のアイコン４５０を表示しても良い）。また、アイコン４５０を、サムネイル画像ＴＭ４０１上ではなく、サムネイル画像ＴＭ４０１の表示領域の外側であって且つサムネイル画像ＴＭ４０１の表示領域の近傍に表示するようにしても良い。これは、アイコン４５０以外の、後述の他のアイコンについても適用されうる。
【００７６】
［表示方法例α２］
図２０（ａ）〜（ｃ）を参照して、表示方法例α２を説明する。画像５２０、５２１、５２２は、夫々、Ｑ＝０、Ｑ＝１、Ｑ＝２であるときにおいて、表示領域ＤＲ［１］に表示される画像の例である（図１１（ａ）及び（ｂ）も参照）。画像５２０は、サムネイル画像ＴＭ４０１そのものであり、画像５２１及び５２２の夫々は、サムネイル画像ＴＭ４０１にアイコン４５２を付与した画像である。但し、図２０（ｂ）及び（ｃ）から分かるように、サムネイル画像ＴＭ４０１に重畳されるアイコン４５２の表示サイズは、回数Ｑが増大するにつれて大きくされる。Ｑ≧３であるときも同様である。
【００７７】
つまり、Ｑ＝０であるときには表示領域ＤＲ［１］にアイコン４５２が表示されないが、Ｑ≧１であるときにはＱの値に応じた表示サイズにてアイコン４５２がサムネイル画像ＴＭ４０１と共に表示領域ＤＲ［１］に表示される。ユーザは、アイコン４５２の表示有無及び表示サイズを見ることで、処理有無認識及び処理回数認識を成すことができる。
【００７８】
表示方法例α２におけるアイコン４５２は、映像情報ＶＡの一種である（図１８参照）。映像情報としてのアイコン４５２には、回数Ｑに応じた変化（表示サイズ変化）がある。
【００７９】
［表示方法例α３］
図２１（ａ）〜（ｄ）を参照して、表示方法例α３を説明する。画像５３０、５３１、５３２は、夫々、Ｑ＝０、Ｑ＝１、Ｑ＝２であるときにおいて、表示領域ＤＲ［１］に表示される画像の例である（図１１（ａ）及び（ｂ）も参照）。画像５３０は、サムネイル画像ＴＭ４０１そのものであり、画像５３１及び５３２の夫々は、サムネイル画像ＴＭ４０１にゲージアイコン４５４及びバーアイコン４５６を付与した画像である。但し、図２１（ｂ）及び（ｃ）から分かるように、サムネイル画像ＴＭ４０１に重畳されるバーアイコン４５６の表示サイズは、ゲージアイコン４５４の長手方向において、回数Ｑが増大するにつれて大きくされる。Ｑ≧３であるときも同様である。
【００８０】
つまり、Ｑ＝０であるときには表示領域ＤＲ［１］にアイコン４５４及び４５６が表示されないが、Ｑ≧１であるときにはＱの値に応じた長さを有するバーアイコン４５６がサムネイル画像ＴＭ４０１と共に表示領域ＤＲ［１］に表示される。ユーザは、アイコン４５４及び４５６の表示有無及びバーアイコン４５６の長さを見ることで、処理有無認識及び処理回数認識を成すことができる。
【００８１】
表示方法例α３におけるアイコン４５４及び４５６は、映像情報ＶＡの一種である（図１８参照）。映像情報としてのバーアイコン４５６には、回数Ｑに応じた変化（表示サイズ変化、表示長さ変化）がある。
【００８２】
尚、Ｑ＝０であるとき、図２１（ａ）の画像５３０の代わりに図２１（ｄ）の画像５３０’を表示領域ＤＲ［１］に表示するようにしても良い。画像５３０’は、サムネイル画像ＴＭ４０１にゲージアイコン４５４のみを付与した画像である。この場合においても、Ｑ≧１であるときに表示されるバーアイコン４５６は、映像情報ＶＡの一種である。また、図１９（ａ）等に示されるアイコン４５０を、Ｑ≧１であるときにのみ、サムネイル画像ＴＭ４０１と共に表示領域ＤＲ［１］に表示するようにしても良い。
【００８３】
［表示方法例α４］
図２２（ａ）〜（ｄ）を参照して、表示方法例α４を説明する。画像５４０、５４１、５４２は、夫々、Ｑ＝０、Ｑ＝１、Ｑ＝２であるときにおいて、表示領域ＤＲ［１］に表示される画像の例である（図１１（ａ）及び（ｂ）も参照）。画像５４０は、サムネイル画像ＴＭ４０１そのものであり、画像５４１及び５４２の夫々は、サムネイル画像ＴＭ４０１の外周を取り囲む枠アイコンをサムネイル画像ＴＭ４０１に付与した画像である。但し、図２２（ｂ）及び（ｃ）から分かるように、Ｑ≧１であるときにサムネイル画像ＴＭ４０１に付与される枠アイコンの色は、回数Ｑに応じて変化する。Ｑ≧３であるときも同様である。
【００８４】
つまり、Ｑ＝０であるときには表示領域ＤＲ［１］に枠アイコンが表示されないが、Ｑ≧１であるときにはＱの値に応じた色を有する枠アイコンがサムネイル画像ＴＭ４０１と共に表示領域ＤＲ［１］に表示される。ユーザは、枠アイコンの表示有無及び枠アイコンの色を見ることで、処理有無認識及び処理回数認識を成すことができる。
【００８５】
表示方法例α４における枠アイコンは、映像情報ＶＡの一種である（図１８参照）。映像情報としての枠アイコンには、回数Ｑに応じた変化（色変化）がある。
【００８６】
尚、Ｑ＝０であるとき、図２２（ａ）の画像５４０の代わりに図２２（ｄ）の画像５４０’を表示領域ＤＲ［１］に表示するようにしても良い。画像５４０’も、画像５４１及び５４２と同様、サムネイル画像ＴＭ４０１の外周を取り囲む枠アイコンをサムネイル画像ＴＭ４０１に付与した画像である。但し、画像５４０’における枠アイコンの色、即ちＱ＝０である時に表示される枠アイコンの色は、Ｑ≧１である時に表示される枠アイコンの色と異なる。Ｑ＝０、Ｑ＝１、Ｑ＝２であるときに表示される枠アイコンの色を、夫々、第１の色、第２の色、第３の色と呼んだ場合、第２又は第３の色を有する枠アイコンは、入力画像４０１が加工処理を経て得られた画像であることを示す映像情報ＶＡであるが、第１の色を有する枠アイコンは、そのような映像情報ＶＡではない（第１、第２及び第３の色は互いに異なる色である）。
【００８７】
但し、入力画像４０１が加工処理を経て得られた画像であるか否かを示す映像情報が映像情報ＶＡである、と解釈することもできる。この解釈を用いた場合、画像５４０’、５４１及び５４２の例では、画像５４０’ 、５４１及び５４２の夫々における枠アイコンを映像情報ＶＡとして捉えることが可能であり、枠アイコンの色によって、入力画像４０１が加工処理を経て得られた画像であるか否かが示されている。
【００８８】
［表示方法例α５］
図２３（ａ）〜（ｄ）を参照して、表示方法例α５を説明する。画像５５０、５５１、５５２は、夫々、Ｑ＝０、Ｑ＝１、Ｑ＝２であるときにおいて、表示領域ＤＲ［１］に表示される画像の例である（図１１（ａ）及び（ｂ）も参照）。画像５５０は、サムネイル画像ＴＭ４０１そのものであり、画像５５１及び５５２の夫々は、サムネイル画像ＴＭ４０１に、数値と図形から成るアイコン４６０を付与した画像である（アイコン４６０を数値のみで形成することも可能である）。但し、図２３（ｂ）及び（ｃ）から分かるように、Ｑ≧１であるときにサムネイル画像ＴＭ４０１に付与されるアイコン４６０内の数値は、回数Ｑに応じて変化する。Ｑ≧３であるときも同様である。
【００８９】
つまり、Ｑ＝０であるときには表示領域ＤＲ［１］にアイコン４６０が表示されないが、Ｑ≧１であるときにはＱの値に応じた数値（単純にはＱの値そのもの）を文字として内包するアイコン４６０がサムネイル画像ＴＭ４０１と共に表示領域ＤＲ［１］に表示される。ユーザは、アイコン４６０の表示有無及びアイコン４６０内の数値を見ることで、処理有無認識及び処理回数認識を成すことができる。
【００９０】
表示方法例α５におけるアイコン４６０は、映像情報ＶＡの一種である（図１８参照）。映像情報としてのアイコン４６０には、回数Ｑに応じた変化（アイコン４６０内の数値変化）がある。
【００９１】
尚、Ｑ＝０であるとき、図２３（ａ）の画像５５０の代わりに図２３（ｄ）の画像５５０’を表示領域ＤＲ［１］に表示するようにしても良い。画像５５０’も、画像５５１及び５５２と同様、サムネイル画像ＴＭ４０１にアイコン４６０を付与した画像である。但し、画像５５０’におけるアイコン４６０内の数値、即ちＱ＝０である時に表示されるアイコン４６０内の数値は、Ｑ≧１である時に表示されるアイコン４６０内の数値と異なる。この場合、画像５５１又は５５２における枠アイコン４６０は、入力画像４０１が加工処理を経て得られた画像であることを示す映像情報ＶＡであるが、画像５５０’における枠アイコン４６０は、そのような映像情報ＶＡではない。
【００９２】
但し、入力画像４０１が加工処理を経て得られた画像であるか否かを示す映像情報が映像情報ＶＡである、と解釈することもできる。この解釈を用いた場合、画像５５０’、５５１及び５５２の例では、画像５５０’ 、５５１及び５５２の夫々におけるアイコン４６０を映像情報ＶＡとして捉えることが可能であり、アイコン４６０内の数値によって、入力画像４０１が加工処理を経て得られた画像であるか否かが示されている。
【００９３】
［表示方法例β１］
図２４（ａ）〜（ｃ）を参照して、表示方法例β１を説明する。画像６１０、６１１、６１２は、夫々、Ｑ＝０、Ｑ＝１、Ｑ＝２であるときにおいて、表示領域ＤＲ［１］に表示される画像の例である（図１１（ａ）及び（ｂ）も参照）。画像６１０は、サムネイル画像ＴＭ４０１そのものであり、画像６１１及び６１２の夫々は、サムネイル画像ＴＭ４０１を変形するための画像処理Ｊβ１をサムネイル画像ＴＭ４０１に施して得られた画像である。但し、図２４（ｂ）及び（ｃ）から分かるように、Ｑ≧１であるときにサムネイル画像ＴＭ４０１に施される画像処理Ｊβ１の処理内容は、回数Ｑに応じて変化する（即ち、表示されるサムネイル画像ＴＭ４０１の変形状態は、回数Ｑに応じて変化する）。Ｑ≧３であるときも同様である。
【００９４】
例えば、画像処理Ｊβ１は、空間フィルタ又は周波数フィルタを用いたフィルタリング処理であってもよい。より具体的には例えば、画像処理Ｊβ１は、サムネイル画像ＴＭ４０１を平滑化する平滑化処理であっても良く、この場合、平滑化度合いを回数Ｑに応じて変化させることができる（例えば、平滑化を行うための平滑化フィルタのフィルタ強度を回数Ｑの増大に伴って増大させる）。或いは例えば、画像処理Ｊβ１は、サムネイル画像ＴＭ４０１の輝度、彩度又はコントラストを低減させる画像処理であっても良く、この場合、輝度、彩度又はコントラストの低減度合いを回数Ｑに応じて変化させることができる（例えば、その低減度合いを回数Ｑの増大に伴って増大させることができる）。ユーザは、表示領域ＤＲ［１］の表示内容を見ることで、処理有無認識及び処理回数認識を成すことができる。
【００９５】
また例えば、画像処理Ｊβ１は幾何学的変換であっても良い。画像処理Ｊβ１としての幾何学的変換は、サムネイル画像ＴＭ４０１を、魚眼レンズを用いて撮影されたかのような魚眼画像に変換する魚眼変換処理であっても良い。図２５の画像６１５は、Ｑ≧１であるときに表示領域ＤＲ［１］に表示することのできる魚眼画像の例である。画像処理Ｊβ１として幾何学的変換を用いた場合でも、表示領域ＤＲ［１］に表示されるサムネイル画像ＴＭ４０１は変形されることになるが、その変形の度合いは、回数Ｑに応じて変化せしめられる。
【００９６】
［表示方法例β２］
図２６（ａ）〜（ｃ）を参照して、表示方法例β２を説明する。画像６２０、６２１、６２２は、夫々、Ｑ＝０、Ｑ＝１、Ｑ＝２であるときにおいて、表示領域ＤＲ［１］に表示される画像の例である（図１１（ａ）及び（ｂ）も参照）。画像６２０は、サムネイル画像ＴＭ４０１そのものであり、画像６２１及び６２２の夫々は、サムネイル画像ＴＭ４０１を変形するための画像処理Ｊβ２をサムネイル画像ＴＭ４０１に施して得られた画像である。
【００９７】
画像処理Ｊβ２は、サムネイル画像ＴＭ４０１の一部を欠損させる画像処理であり、その欠損量は回数Ｑに応じて変化する。画像処理Ｊβ２では、サムネイル画像ＴＭ４０１の全画像領域が第１及び第２画像領域に分割され、サムネイル画像ＴＭ４０１の第２画像領域をサムネイル画像ＴＭ４０１から除去する。即ち、サムネイル画像ＴＭ４０１の第１画像領域内の画像が、画像６２１又は６２２である。除去される第２画像領域の大きさ又は形状は、回数Ｑに応じて変化する（即ち、表示されるサムネイル画像ＴＭ４０１の変形状態は、回数Ｑに応じて変化する）。例えば、図２６（ｂ）及び（ｃ）に示す如く、回数Ｑが増大するにつれて第２画像領域の大きさを増大させることができる。Ｑ≧３であるときも同様である。ユーザは、表示領域ＤＲ［１］の表示内容を見ることで、処理有無認識及び処理回数認識を成すことができる。
【００９８】
＜＜第２実施形態＞＞
本発明の第２実施形態を説明する。第２実施形態は第１実施形態を基礎とする実施形態であり、第２実施形態において特に述べない事項に関しては、矛盾なき限り、第１実施形態の記載が第２実施形態にも適用される。第１実施形態の撮像装置１が持つ構成要素を、第２実施形態の撮像装置１も有する。
【００９９】
図３０は、第２実施形態の特徴的動作に特に関与する部位のブロック図である。上述したように、ＵＩ５１は、処理対象画像を選択するための選択操作及び処理対象画像に対する加工処理の実行を指示する加工指示操作を含む、ユーザからの各種の操作を受け付け、加工指示操作によって加工内容情報が指定される。第２実施形態では、加工内容情報によって補正対象領域の位置、大きさ及び形状等が指定され、画像処理部５３が、加工内容情報を用いて処理対象画像の補正対象領域を補正する画像処理Ｐを行うものとする。画像処理Ｐによって補正対象領域の補正が成された後の処理対象画像が、加工画像として画像処理部５３より出力される。補正対象領域は、入力画像の全画像領域の一部である。
【０１００】
画像処理Ｐについて説明する。図３１の入力画像７００は、オリジナル画像（即ち入力画像Ｉ［０］）の例である（図６参照）。入力画像７００には、４つの被写体７１０〜７１３の画像データが存在している。今、ユーザが、被写体７１１を不要物体（不要被写体）と捉え、入力画像７００から被写体７１１を除去したいと考えていることを想定する。この場合、ユーザは、選択操作によって入力画像７００を処理対象画像に選択した状態で加工指示操作により被写体７１１を不要物体として指定する。これによって、入力画像７００において被写体７１１の画像データが存在する画像領域７２１の位置、大きさ及び形状が決定する（図３２（ａ）参照）。ユーザがＵＩ５１を介した加工指示操作により画像領域７２１の位置、大きさ及び形状の詳細を全て指定するようにしても良いし、加工指示操作を元に画像処理部５３による輪郭抽出処理等を利用してそれらの詳細を決定するようにしても良い。
【０１０１】
画像処理部５３は、画像領域７２１を補正対象領域に設定し、入力画像７００から被写体７１１を除去するための画像処理Ｐ（換言すれば補正対象領域を補正するための画像処理Ｐ）を実行する。例えば、画像処理部５３は、補正対象領域と異なる画像領域である補正用領域の画像データを用いて、不要物体としての被写体７１１を入力画像７００から除去し、この除去が成された加工画像７００Ａを生成する（図３２（ｂ）参照）。通常、補正用領域は、処理対象画像（入力画像７００）内の画像領域であるが、処理対象画像以外の画像内の画像領域であってもよい。補正用領域の設定方法を含む、不要物体を除去するための画像処理Ｐの方法として、公知の方法（例えば、特開２０１１−１７０８３８号公報又は特開２０１１−１７０８４０号公報に記載された方法）を利用することができる。例えば、補正対象領域の画像データを補正用領域の画像データにて置き換えることで不要物体を除去しても良いし、補正対象領域の画像データに補正用領域の画像データを混合することで不要物体を除去しても良い。尚、ここにおける除去は、完全なる除去であっても良いし、部分的な除去であっても良い。また、図３２（ａ）の例では、図示の便宜上、補正対象領域７２１の形状が矩形になっているが、該形状は矩形以外の形状（不要物体の輪郭に沿った形状等）でも良い（後述の他の補正対象領域についても同様）。
【０１０２】
ユーザは、入力画像Ｉ［１］（図６参照）の例である加工画像７００Ａを新たな処理対象画像として選択し、加工指示操作によって被写体７１２を更なる不要物体として指定することもできる。図３２（ｃ）において、被写体７１２の画像データが存在する画像領域７２２は、この指定を介して、処理対象画像７００Ａに設定された新たな補正対象領域である。この指定が成されると、画像処理部５３は、画像処理Ｐを処理対象画像７００Ａに実行し、処理対象画像７００Ａから被写体７１２を除去することで得た画像である加工画像７００Ｂを生成する（図３２（ｄ）参照）。同様にして、加工画像７００Ｂから被写体７１３を除去する画像処理Ｐを更に実行することもできる。
【０１０３】
図８を参照して説明した、加工画像の画像データ及び付加データ（図４も参照）の記録方法は、本実施形態にも適用される。但し、第２実施形態では、図３３に示す如く、画像ファイルに格納される付加データに、加工回数データ及びサムネイル画像の画像データに加えて、補正対象領域情報が含められる。即ち、入力画像Ｉ［ｉ］に加工処理（画像処理Ｐ）が１回施されることで入力画像Ｉ［１＋１］が生成されたとき、入力画像Ｉ［ｉ＋１］の画像データ、サムネイル画像ＴＭ［ｉ＋１］の画像データ及び加工回数データに加えて、補正対象領域情報も画像ファイルＦＬ［ｉ＋１］に記録される。
【０１０４】
画像ファイルＦＬ［ｉ＋１］に記録される補正対象領域情報は、入力画像Ｉ［ｉ］から入力画像Ｉ［ｉ＋１］を得るために入力画像Ｉ［ｉ］に設定された補正対象領域の位置、大きさ及び形状を特定する。例えば、入力画像７００Ａの画像ファイルに記録される補正対象領域情報は、入力画像７００から入力画像７００Ａを得るために入力画像７００に設定された補正対象領域７２１の位置、大きさ及び形状を特定する。入力画像Ｉ［ｉ＋１］が画像処理Ｐを２回以上経て得られたものである場合、画像処理Ｐごとの補正対象領域情報が画像ファイルＦＬ［ｉ＋１］に記録される。つまり例えば、入力画像７００Ｂの画像ファイルには、入力画像７００から入力画像７００Ａを得るために入力画像７００に設定された補正対象領域７２１の位置、大きさ及び形状を特定する補正対象領域情報と、入力画像７００Ａから入力画像７００Ｂを得るために入力画像７００Ａに設定された補正対象領域７２２の位置、大きさ及び形状を特定する補正対象領域情報と、が記録される。補正対象領域７２１の位置、大きさ及び形状は、被写体７１１の位置、大きさ及び形状であると考えても良い（補正対象領域７２２等についても同様）。
【０１０５】
加工画像の生成動作のフローチャートは、図９のそれと同様である。但し、加工処理が画像処理Ｐである場合には、ステップＳ１３及びＳ１４の処理が割愛される。
【０１０６】
次に、サムネイル表示モードにおける撮像装置１の動作を説明する。図３４の入力画像７０１と図１０の入力画像４０２〜４０６を含む複数の入力画像の画像データが記録媒体１６に記録されているものとする（図３４では、便宜上、画像内の被写体の図示を割愛）。図３４に示す如く、入力画像７０１に対応するサムネイル画像を記号ＴＭ７０１にて表し、入力画像７０１及びサムネイル画像ＴＭ７０１の画像データを格納した画像ファイルを記号ＦＬ７０１にて表す。そうすると、第１実施形態における入力画像４０１、サムネイル画像ＴＭ４０１、画像ファイルＦＬ４０１及び画像処理Ｊを、入力画像７０１、サムネイル画像ＴＭ７０１、画像ファイルＦＬ７０１及び画像処理Ｐと読み替えることで、第１実施形態におけるサムネイル表示モードの動作説明を全て第２実施形態に適用することができる。この適用内容には、当然、上述の特殊表示機能も含まれ、且つ、表示方法例α１〜α５を包含する表示方法α並びに表示方法例β１及びβ２を包含する表示方法βも含まれる。第１実施形態で述べたように、特殊表示機能により、例えば、表示部１５にてサムネイル画像ＴＭ７０１が表示される際、サムネイル画像ＴＭ７０１に対応する入力画像７０１が加工処理を経て得られた画像であるか否かが、表示部１５を用いて視覚的に示される。
【０１０７】
図１１（ａ）に示す表示画面の表示領域ＤＲ［１］、ＤＲ［２］〜ＤＲ［６］に、夫々、サムネイル画像ＴＭ７０１、ＴＭ４０２〜ＴＭ４０６が同時表示されている状態を基準にして、特殊表示機能の実現方法につき幾つかの例を挙げる。入力画像７０１は、入力画像７００、７００Ａ及び７００Ｂの何れかであるものとする（図３２（ａ）〜（ｄ）参照）。従って、サムネイル画像ＴＭ７０１は、入力画像７００、７００Ａ及び７００Ｂの何れかに基づくサムネイル画像である。説明の便宜上、入力画像７００、７００Ａ、７００Ｂに基づくサムネイル画像ＴＭ７０１を、特に、夫々、記号ＴＭ７０１［７００］、ＴＭ７０１［７００Ａ］、ＴＭ７０１［７００Ｂ］によって表す（図３５（ａ）〜（ｃ）参照）。記号Ｑは、入力画像７０１を得るために成された加工処理（画像処理Ｐ）の実行回数を表す。入力画像７０１が入力画像７００であるときＱ＝０であり、入力画像７０１が入力画像７００ＡであるときＱ＝１であり、入力画像７０１が入力画像７００ＢであるときＱ＝２である。
【０１０８】
図３６（ａ）〜（ｃ）は、図１９（ａ）〜（ｃ）に対応する表示方法例α１の第２実施形態への適用例を示している。画像７５０、７５１、７５２は、夫々、Ｑ＝０、Ｑ＝１、Ｑ＝２であるときにおいて、表示領域ＤＲ［１］に表示されるサムネイル画像の例である。画像７５０は、入力画像７００に基づくサムネイル画像ＴＭ７０１［７００］そのものであり、画像７５１は、入力画像７００Ａに基づくサムネイル画像ＴＭ７０１［７００Ａ］にアイコン４５０を１つだけ付与した画像であり、画像７５２は、入力画像７００Ｂに基づくサムネイル画像ＴＭ７０１［７００Ｂ］にアイコン４５０を２つだけ付与した画像である。Ｑ≧３であるときも同様であり、サムネイル画像ＴＭ７０１にＱ個のアイコン４５０を重畳表示することができる。
【０１０９】
図３７（ａ）〜（ｃ）は、図２４（ａ）〜（ｃ）に対応する表示方法例β１の第２実施形態への適用例を示している。画像７６０、７６１、７６２は、夫々、Ｑ＝０、Ｑ＝１、Ｑ＝２であるときにおいて、表示領域ＤＲ［１］に表示されるサムネイル画像の例である。画像７６０は、入力画像７００に基づくサムネイル画像ＴＭ７０１［７００］そのものである。画像７６１及び７６２は、入力画像７００Ａに基づくサムネイル画像ＴＭ７０１［７００Ａ］及び入力画像７００Ｂに基づくサムネイル画像ＴＭ７０１［７００Ｂ］に上述の画像処理Ｊβ１を施して得られた画像であり、第１実施形態で述べたように、画像処理Ｊβ１の処理内容は回数Ｑに応じて変化する（即ち、表示されるサムネイル画像ＴＭ７０１の変形状態は、回数Ｑに応じて変化する）。Ｑ≧３であるときも同様である。
【０１１０】
また、図３８（ａ）〜（ｃ）のような表示を成すこともできる。画像７７０、７７１、７７２は、夫々、Ｑ＝０、Ｑ＝１、Ｑ＝２であるときにおいて、表示領域ＤＲ［１］に表示されるサムネイル画像の例である。画像７７０は、入力画像７００に基づくサムネイル画像ＴＭ７０１［７００］そのものである。画像７７１は、入力画像７００Ａに基づくサムネイル画像ＴＭ７０１［７００Ａ］に斜線マーカ７３１を付与した画像であり、画像７７２は、入力画像７００Ｂに基づくサムネイル画像ＴＭ７０１［７００Ｂ］に斜線マーカ７３１及び７３２を付与した画像である。
【０１１１】
表示制御部２２又はサムネイル生成部５４（図１又は図８参照）は、画像ファイルＦＬ７０１から読み出した補正対象領域情報に基づき、斜線マーカ７３１及び７３２の位置、大きさ及び形状を決定する。具体的には例えば、表示制御部２２又はサムネイル生成部５４は、入力画像７００（オリジナル画像）上の補正対象領域７２１の位置に対応する、サムネイル画像ＴＭ７０１［７００Ａ］上の位置に、斜線マーカ７３１を付与し（図３２（ａ）及び図３５（ｂ）参照）、これよって図３８（ｂ）の画像７７１を生成する。同様に例えば、表示制御部２２又はサムネイル生成部５４は、入力画像７００又は７００Ａ上の補正対象領域７２１及び７２２の位置に対応する、サムネイル画像ＴＭ７０１［７００Ｂ］上の位置に、斜線マーカ７３１及び７３２を付与し（図３２（ａ）及び図３５（ｃ）参照）、これよって図３８（ｃ）の画像７７２を生成する。斜線マーカ７３１の大きさ及び形状は、被写体７１１の大きさ及び形状（即ち、図３２（ａ）の補正対象領域７２１の大きさ及び形状）に応じたものとする。斜線マーカ７３２についても同様である。
【０１１２】
斜線マーカを見ることで、ユーザは、図３８（ｂ）又は（ｃ）の画像７７１又は７７２に対応する入力画像が画像処理Ｐを経て得られた画像であることを容易に認識することができる。更に、斜線マーカを含むサムネイル画像の表示により、ユーザは、表示されたサムネイル画像上において補正対象領域の位置、大きさ及び形状を特定及び認識することができる。斜線マーカは映像情報ＶＡの一種であると考えることができる。図３８（ａ）〜（ｃ）に示す表示方法と図３６（ａ）〜（ｃ）に示す表示方法を組み合わせて実行するようにしても良い。即ち、加工画像に対応するサムネイル画像にアイコン４５０及び斜線マーカの両方を付与し、付与後のサムネイル画像を表示するようにしても良い。
【０１１３】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈４を記す。各注釈に記載した内容は、矛盾なき限り、任意に組み合わせることが可能である。
【０１１４】
［注釈１］
上述の第１及び第２実施形態では、処理対象画像から加工画像を得るための加工処理が合焦状態を調整するための画像処理Ｊ及び特定の画像領域を補正するための画像処理Ｐであることを主として想定しているが、処理対象画像を加工するための画像処理である限り、加工処理は、どのような画像処理でも良い。例えば、加工処理は、幾何学的変換、解像度変換、階調変換、色補正又はフィルタリング等の任意の画像処理を含みうる。
【０１１５】
［注釈２］
上述の各実施形態では、入力画像が撮像装置１の撮影によって得た画像であることを想定しているが、入力画像は、撮像装置１の撮影によって得た画像でなくても良い。例えば、入力画像は、撮像装置１以外の撮像装置（不図示）にて撮影された画像であっても良いし、任意の記録媒体から撮像装置１に与えられたものであっても良いし、インターネット等の通信網を介して撮像装置１に与えられたものであっても良い。
【０１１６】
［注釈３］
上述の特殊表示機能の実現に関与する部位（特に例えば、ＵＩ５１と、表示制御部２２、距離マップ生成部５２、画像処理部５３及びサムネイル生成部５４を内包する主制御部１３と、表示部１５と、記録媒体１６）は、撮像装置１以外の電子機器（不図示）に設けられていても良く、その電子機器上において上述の各動作を実現させても良い。電子機器は、例えば、パーソナルコンピュータ、携帯情報端末、携帯電話機である。尚、撮像装置１も、電子機器の一種である。
【０１１７】
［注釈４］
撮像装置１及び電子機器を、ハードウェア、或いは、ハードウェアとソフトウェアの組み合わせによって構成することができる。ソフトウェアを用いて撮像装置１又は電子機器を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【０１１８】
１  撮像装置
１１  撮像部
１５  表示部
１６  記録媒体
５１  ユーザインターフェース
５２  距離マップ生成部
５３  画像処理部
５４  サムネイル生成部
【図１】
2012178820.tif 000003
【図２】
2012178820.tif 000004
【図４】
2012178820.tif 000005
【図５】
2012178820.tif 000006
【図７】
2012178820.tif 000007
【図８】
2012178820.tif 000008
【図９】
2012178820.tif 000009
【図１２】
2012178820.tif 000010
【図１４】
2012178820.tif 000011
【図１８】
2012178820.tif 000012
【図３０】
2012178820.tif 000013
【図３１】
2012178820.tif 000014
【図３２】
2012178820.tif 000015
【図３３】
2012178820.tif 000016
【図３４】
2012178820.tif 000017
【図３５】
2012178820.tif 000018
【図３６】
2012178820.tif 000019
【図３７】
2012178820.tif 000020
【図３８】
2012178820.tif 000021
【図３】
2012178820.tif 000022
【図６】
2012178820.tif 000023
【図１０】
2012178820.tif 000024
【図１１】
2012178820.tif 000025
【図１３】
2012178820.tif 000026
【図１５】
2012178820.tif 000027
【図１６】
2012178820.tif 000028
【図１７】
2012178820.tif 000029
【図１９】
2012178820.tif 000030
【図２０】
2012178820.tif 000031
【図２１】
2012178820.tif 000032
【図２２】
2012178820.tif 000033
【図２３】
2012178820.tif 000034
【図２４】
2012178820.tif 000035
【図２５】
2012178820.tif 000036
【図２６】
2012178820.tif 000037
【図２７】
2012178820.tif 000038
【図２８】
2012178820.tif 000039
【図２９】
2012178820.tif 000040